(57)【特許請求の範囲】
【請求項１】
固定側のリブを水平部に受入れる略Ｕ字型の吊持具本体と、該吊持具本体の垂直部に回動可能に支持され水平部分がリブ側に突出し、垂直部分が常時吊持具本体の外側に沿うように形成された自重垂下型の一対の挟持片と、前記吊持具本体の水平部に回転不能に取着されたナット部材と、前記吊持具本体内にあって受入れられたリブに当接するバネ押さえを備えた押圧バネと、前記ナット部材のネジに下から螺合するロッドとを備えることを特徴とする吊持具。
【請求項２】
固定側のＬ型リブを受け入れる水平部を有する略Ｕ字型の吊持具本体と、該吊持具本体の一端上部に回動可能に支持され水平部分がリブ側に突出し垂直部分が常時吊持具本体の外側に沿うように形成された自重垂下型の一つの挟持片と、前記吊持具本体に回転不能に取着されたナット部材と、該ナット部材のネジに下から螺合してリブを押上げるロッドとを備えることを特徴とする吊持具。
【請求項３】
固定側のＨ型リブの下方に位置し、両端が開放された筒状の吊持具本体と、この吊持具本体の両端に出入り可能に内挿され所定位置で位置決めされる左右の吊り金具と、これら吊り金具にそれぞれ回動自在に枢支され、水平部分が互いに向き合う方向に延びていて前記リブの端部下面に当たったとき下方へ回動して該リブ端を通過し通過後垂直部分が自重により前記吊り金具の外側に沿って垂下するよう形成された自重垂下型の挟持片と、前記吊持具本体の長手方向中央に回転不能に取着されたナット部材と、該ナット部材に下から螺挿されて前記吊持具本体を上下方向に貫通し、前記リブの下面に当接して前記吊持具本体を前記リブに対し相対的に下降させ、前記挟持片の水平部分の下面を前記リブの端部上面に圧接させるロッドとを備えることを特徴とする吊持具。
【発明の詳細な説明】
【０００１】
【産業上の利用分野】
本発明は、建造物において用いられるデッキプレート、Ｈ型鋼、Ｌ型鋼、その他の構造材の下面に天井、ダクト、ケーブルラック等の配線用支持部材、配管支持部材、照明器具、空調用部材、その他の各種部材を吊持するに用いる吊持具に関する。
【０００２】
【従来の技術】
例えばコンクリートスラブを構築する場合、金属板を台形が連続するように凹凸状に摺曲された所謂デッキプレートを水平に架設し、その上に配筋してコンクリートを打設し、デッキプレートと一体化させてコンクリートスラブとする工法が広く用いられている。
【０００３】
このようなデッキプレートを用いたスラブに配管や内装用天井等を取付ける場合、下方からデッキプレートの下面に吊持具を固着し、この吊持具にロッドを継ぎ足して垂下させ、このロッドに必要な取付部材を取付けるようにしている。
【０００４】
従来の上記吊持具は、例えば実公平２−８９６５号、同８９６６号公報に示されるものがある。このものは図２２に概要を示すように、デッキブレート１の下面に折曲げにより突出する断面三角形状のリブ２を両側から挟むように一対の挟持片３，３を持ち、この挟持片３，３の基部３ａ，３ａを重ねてその上方からボルト４を通し、基部３ａの下方に突出するボルト４のネジ軸部に軸長の長い継手ナット５を螺合し、前記挟持片３，３をリブ２に係合したのち継手ナット５を回して締込むことによりボルト４の頭部４ａと継手ナット５とで重ね合わされた挟持片３，３の基部３ａ，３ａを接近させ、挟持片３，３を閉じてリブ２に固定する構造とされている。
【０００５】
ついで上記継手ナット５の下半部にロッド６の上端のネジ部を螺挿し、ロッド６を吊持してこれに必要な取付部材を取付けるようになっている。
【０００６】
【発明が解決しようとする課題】
しかるに上記従来の吊持具では、デッキプレート１の下面のリブ２に吊持具を取付けるとき継手ナット５を締込む必要があることから高い位置での作業となり、踏台や仮設台等の足場に乗って作業しなければならず、そのため吊持具の取付け作業が容易でないものとなる。特に天井の取付けには多数の吊持具を要するため一層容易でなく、作業能率も低いものとならざるを得なかった。また、継手ナット５を締込むまでは高所位置で挟持片３，３をリブ２に嵌合した状態を一方の手で保持しながら他方の手で継手ナット５を回して締込まなければならず、しかもその締込みには工具を用いて強固に固定する必要があるため、高所での作業であることと相まって一層作業を困難にしている。なお、デッキプレートのリブに限らず、固定的に設けられるリブへの吊持についても同様である。
【０００７】
本発明はこれに鑑み、固定側のリブの下方からロッドを回動させることによりリブに挟着させることができ、作業時に足場がいらず、ロッドをリブに対し直角に垂設することができる吊持具を提供することを目的とする。
【０００８】
【課題を解決するための手段】
上記従来の技術が有する問題点を解決する手段として本発明は、固定側のリブを水平部に受入れる略Ｕ字型の吊持具本体と、該吊持具本体の垂直部に回動可能に支持され水平部分がリブ側に突出し、垂直部分が常時吊持具本体の外側に沿うように形成された自重垂下型の一対の挟持片と、前記吊持具本体の水平部に回転不能に取着されたナット部材と、前記吊持具本体にあって受入れられたリブに当接するバネ押さえを備えた押圧バネと、前記ナット部材のネジに下から螺合するロッドとを備えたことを特徴とし、また、固定側のＬ型リブを受け入れる水平部を有する略Ｕ字型の吊持具本体と、該吊持具本体の一端上部に回動可能に支持され水平部分がリブ側に突出し垂直部分が常時吊持具本体の外側に沿うように形成された自重垂下型の一つの挟持片と、前記吊持具本体に回転不能に取着されたナット部材と、該ナット部材のネジに下から螺合してリブを押上げるロッドとを備えることを特徴とし、また、固定側のＨ型リブの下方に位置し、両端が開放された筒状の吊持具本体と、この吊持具本体の両端に出入り可能に内挿され所定位置で位置決めされる左右の吊り金具と、これら吊り金具にそれぞれ回動自在に枢支され、水平部分が互いに向き合う方向に延びていて前記リブの端部下面に当たったとき下方へ回動して該リブ端を通過し通過後垂直部分が自重により前記吊り金具の外側に沿って垂下するよう形成された自重垂下型の挟持片と、前記吊持具本体の長手方向中央に回転不能に取着されたナット部材と、該ナット部材に下から螺挿されて前記吊持具本体を上下方向に貫通し、前記リブの下面に当接して前記吊持具本体を前記リブに対し相対的に下降させ、前記挟持片の水平部分の下面を前記リブの端部上面に圧接させるロッドとを備えることを特徴とする。なお、対象となるリブは、Ｔ形リブ、三角形リブ、Ｉ形鋼およびＨ型鋼のフランジ、アングル材、Ｃチャンネル材のフランジ等が含まれる。
【０００９】
【作用】
上記構成によれば、各発明とも固定側のリブを挟持片により挟持したうえ、リブの下方からロッドを回動させることによりリブの下の吊持具はリブを挟持した固定状態となる。この固定と同時にロッドも固定され、このロッドの下方部に必要な取付け部材を取付けて天井やダクト等の吊持に使用される。
ここでいう「自重垂下型」とは、前記挟持片の重量バランスによりその垂直部分が自身で鉛直方向に垂下する習性を与えられて回動自在に枢支され該挟持片の水平部分が水平姿勢に自動復帰するように構成されていることを指称するものである。
【００１０】
【実施例】
以下、本発明を図面に示す実施例を参照して説明する。
【００１１】
以下の各図中、共通する部品には理解を容易にするために同一符号を使用する。
【００１２】
図に示す実施例は、デッキプレートのリブに吊持する場合を例示して説明するが、デッキプレート以外のリブ状物に対しても全く同様に適用し得る。
【００１３】
図１は本発明にかかる吊持具の一実施例の側面を、図２は吊持具本体の平面を示し、図３〜図７は取付け過程を示すもので、デッキプレート１の断面逆Ｔ型のリブ２′を水平部１１ａに受入れるように略Ｕ字型に形成された吊持具本体１１と、該吊持具本体１１の両側の垂直部１１ｂの上端に対してピン１２の回りに回動可能に支持され水平部分１３ａ，１４ａの端部がリブ２′側に突出し、垂直部分１３ｂ，１４ｂが常時吊持具本体１１の外側に沿うように形成された自重垂下型の一対の挟持片１３，１４と、前記吊持具本体１１の水平部１１ａに回転不能に内蔵されたナット部材７と、該ナット部材７のネジに下から螺合して前記吊持具本体１１の水平部１１ａに受入れられたリブ２′を押上げるロッド６とを備えたものからなっている。
【００１４】
そして水平部分１３ａ，１４ａの端部間は通常リブ２′の幅よりも狭い状態となっており、また挟持片１３，１４は自重垂下型で外側には回動できるが、内側には吊持具本体１１に接触するために回動できないようになっている。
【００１５】
その具体的構造は、図２に示すように吊持具本体１１の水平部１１ａの長手方向中央位置の上面にナット部材７が置かれ、その部分の側壁１１ｃ、１１ｃがナット部材７の側面を押えるように内方に突出するようプレス加工等により押し出されて形成された突部１１ｄ、１１ｄによりナット部材７が回転不能に拘束され、かつ上記側壁１１ｃ、１１ｃの上縁の一部がナット部材７上にプレス加工等により押し出されて形成された突部１１ｅ、１１ｅによりナット部材７の上面を押え、これによりナット部材７は上方へ脱出することなく拘束されている。
【００１６】
また前記吊持具本体１１の垂直部１１ａの側壁外縁が内側に若干折り曲げられて係止縁１１ｆ、１１ｆとされ、挾持片１３、１４の水平部分１３ａ、１４ａの先端がこの係止縁１１ｆ、１１ｆにつかえて挾持片１３、１４が反転しないようになされている。なお、図３〜図７の説明図では、上記凸部１１ｄ、１１ｅ、係止縁１１ｆの図示は省略してある。
【００１７】
つぎに上記実施例の作用を説明する。
【００１８】
吊持具をデッキプレート１の下面のリブ２′に取付けるに際しては、吊持具本体１１を下から持ち上げてリブ２′に接近させると、リブ２の両端部が一対の挟持片１３，１４の水平部分１３ａ，１４ａの端部下面に接触し（図３参照）、さらに持ち上げると、挟持片１３，１４がピン１２を支点として水平部分１３ａ，１４ａを押し下げるように回動し、これにより垂直部分１３ｂ，１４ｂはともに外側に回転する（図４参照）。
【００１９】
そしてこの回動により広くなった水平部分１３ａ，１４ａの端部間をリブ２′が通過したのちの挟持片１３，１４は図１の状態に戻って図５のようにリブ２′の下面は吊持具本体１１の水平部１１ａに接触する。
【００２０】
つぎに吊持具本体１１から手を放すと、吊持具本体１１はその自重のために下方に回動して、リブ２′の端部が挟持片１３，１４の水平部分１３ａ，１４ａに接触し、吊持具本体１１を吊り下げた状態となる（図６参照）。この状態ではまだ吊持具本体１１とリブ２′とは不安定のままである。
【００２１】
ここでナット部材７のネジにロッド６を下から螺合させてネジ込むと、ロッド６の先端は次第に上昇し、リブ２′の下面に接触するまで締付けることで吊持具とリブ２′とは固定されて安定した状態となり、取付けが完了する（図７参照）。
【００２２】
図８は上記発明の他の実施例を示すもので、図１が吊持具本体１１と挟持片１３、１４との取付けをピン１２により回動可能としたのに対して、吊持具本体２１側に切り欠き２１ａを有する穴２１ｂを穿設し、挟持片２３、２４側に切り欠き２１ａを通して穴２１ｂに係合して回動し得る折曲げ部２３ａ，２４ａをそれぞれ設けた点が相違する。この場合は組立が容易であるという利点はあるが、リブ２′への取付けは図１の場合と全く同じである。
【００２３】
図９は上記実施例の変形例を示すもので、この場合は図８の折曲げ部２３ａ，２４ａが挟持片２３、２４に対して直角方向のみとなっているのに対し、外れを防止するために端部をさらに挟持片２３、２４側に曲げた折曲げ部２３ｂ、２４ｂを追加した点のみが相違し、その他は図８の場合と全く同じである。
【００２４】
図１０は上記発明の他の実施例を示すもので、この場合、図８ではが長いロッド６を使用するのに対して、短いボルト１５を使用して、吊持具本体２１のボルト１５の両側（片側のみでもよい）に２本の長いボルト１６，１６を設け、その下部に板材１７を水平に取付けて天井板以外の目的に使用できるようにしたもので、その他の構成は図８の場合と全く同様である。
【００２５】
図１１は上記発明のさらに他の実施例を示すもので、図８のデッキプレートのリブ２′が断面逆Ｔ字型であるのに対して断面三角形状のリブ２に対する取付けの場合を示すものである。この場合は挟持片３３、３４の先端形状がリブ２のそれぞれの斜面に接して取付けられるように傾斜面３３ａ、３４ａを設けた点のみ相違するが、他は前記実施例と全く同様である。
【００２６】
図１２は上記実施例の変形例を示すもので、図１１がデッキプレートの断面三角形状のリブ２の斜辺に取付けているのに対してリブ２″の三角形状の左右に突出する底辺部２″ａに挟持片３３、３４を接触させて取付けるようにした点が相違し、その他は図１１の場合と全く同じである。
【００２７】
このほかリブがパイプのように断面円形乃至はそれに類する形状である場合には、挾持片３３、３４の先端形状をそれに即したものとすればよい。
【００２８】
図１３は第２の発明にかかる吊持具の一実施例を示すもので、リブ２′を水平部１１ａに受入れる略Ｕ字型の吊持具本体１１と、該吊持具本体１１の両側の垂直部１１ｂに回動可能に支持され水平部分１３ａ，１４ａがリブ２′側に突出し、垂直部分１３ｂ，１４ｂが常時吊持具本体１１の外側に沿うように形成された自重垂下型の一対の挟持片１３，１４と、前記吊持具本体１１の水平部１１ａに回転不能に内蔵されたナット部材７と、前記吊持具本体１１内にあって受入れられたリブ２′に当接するバネ押さえ１８を備えた押圧バネ１９と、前記ナット部材７のネジに下から螺合するロッド６とを備えたものからなっている。
【００２９】
前記バネ押さえ１８は離隔して設けられた２個の押圧バネ１９，１９の上部を覆うように断面逆Ｕ字形に形成され、バネ押さえ１８の中央の上部裏面に前記ナット部材７のネジに下から螺合するロッド６の先端が接触できるようになっている。
【００３０】
つぎに図１３の実施例の作用について説明する。
デッキプレート１のリブ２′に吊持具を取付けるには、まず、吊持具本体１１を持ち上げ、図１の場合と同様に一対の挟持片１３，１４を回動させてリブ２′を吊持具本体１１内に受入れ、ついでバネ押さえ１８下の押圧バネ１９を押すことによりリブ２′の下面をバネ押さえ１８の上部に接触させる。この状態から手を放すと、押圧バネ１９の反発力によりバネ押さえ１８が上昇してリブ２′を挟持片１３，１４の水平部１３ａ，１４ａとの間に挟むことで吊持具はリブ２′にふらつくことなく取付けられる。そののち、ナット部材７のネジにロッド６を螺合させ、ネジ込むことによりロッド６の先端はバネ押さえ１９の上面に接触し、締付けることで取付けが完了する。
【００３１】
図１４は第２の発明の他の実施例を示し、図１３ではナット部材７が図１、図２と同様にして吊持具本体１に内蔵されているのに対し、ナット部材７を吊持具本体１１にピン２５により回動可能とした吊り具２２を介して取付けた点のみが相違する。これによりロッド６は図の左右方向に対してある程度揺動できる自由度が得られる。この方式、すなわち吊り具２２を用いることは、前述の各実施例に対してもその用途に応じて適用することができる。
【００３２】
図１５は上記実施例の変形例を示し、図１３では吊持具本体１１と挟持片１３，１４をピン１２により結合したのに対し、図８のように吊持具本体２１と挟持片２３，２４との結合を、吊持具本体２１には切り欠き２１ａと穴２１ｂを設け、挟持片２３，２４側にはそれぞれ折曲げ部２３ａ，２４ａを設けて結合するようにした点のみが相違する。
【００３３】
図１６は第２の発明のさらに他の実施例を示すもので、図１５との相違点は図１２のようにナット部材７を吊持具本体２１にピン２５により回動可能とした吊り具２２を介して取付けた点のみである。
【００３４】
図１７は第３の発明の実施例を示すもので、リブ１０はＬ型で、そのリブ１０を受け入れる水平部４１ａを有する吊持具本体４１と、該吊持具本体４１ａに回動可能にピン４３により支持され、吊持具本体４１の水平部４１ａとの間で前記リブ１０を挟持する挟持片４２と、前記吊持具本体４１に回転不能に取着されたナット部材７と、該ナット部材７のネジに下から螺合してリブ１０を前記挟持片４２を介して押上げるロッド６とを備えている。この場合の挟持片４２は水平部分４２ａと垂直部分４２ｂとからなり、図１に示したものと同じように自重垂下型となっている。
【００３５】
そして挟持片４２の水平部材４２ａの下側で接触するように吊持具本体４１の水平部４１ａ内に受入れられたリブ１０をナット部材７のネジの下側から螺合したロッド６によりリブ１０を突き上げるようにして固定するものである。
【００３６】
図１８は図１７の変形例で、バネ押さえ１８と押圧バネ１９を介在させたことによりリブ１０を突き上げるのに直接ロッド６によらず、バネ押さえ１８を介して行うようにしたものである。
【００３７】
図１９は第４の発明にかかる吊持具の一実施例を示すもので、Ｈ型のリブ３９の下方に位置し、両端が開放された吊持具本体５１を設け、該吊持具本体５１の両端に出入り可能な吊り金具５２を設け、該吊り金具５２にそれぞれ水平部分５３ａが前記リブ３９側に突出し、垂直部分５３ｂが常時吊り金具５２の外側に沿うように形成された自重垂下型の挟持片５３と、前記吊持具本体５１の水平部５１ａの下側に回転不能に取着されたナット部材７と、該ナット部材７のネジに下から螺合して前記吊持具本体５１を介してリブ３９を押上げるロッド６とを備えたものからなっている。
【００３８】
前記吊持具本体５１はリブ３９よりも長い四角筒形で、両端部には出入り可能な吊り金具５２，５２が内装されている。この吊り金具５２は立ち上がり部５２ａを有して、その上端にはピン５４により回動自在とされた自重垂下型の挟持片５３が取付けられている。挟持片５３はピン５４を中心として水平部材５３ａと垂直部材５３ｂとで構成され、水平部材５３ａはリブ３９側を向き、垂直部材５３ｂはそれぞれ立ち上がり部５２ａに沿うように垂下して設けられている。
【００３９】
これによりデッキプレート３８のリブ３９に吊持具を取付けるには、まず吊持具本体５１を持ち上げてリブ３９の両端を水平部材５３ａに接触させて押圧すると、水平部材５３ａは内側に回転するのでリブ３９は吊持具本体５１の上面に接触する。この状態からナット部材７のネジにロッド６を下から螺合させてネジ込むと、ロッド６の先端はリブ３９を押上げるので、リブ３９は挟持片５３の水平部材５３ａの下面に接触するように上昇して固定される。
【００４０】
図２０は吊持具本体５１に吊り金具５２を固定する際に吊持具本体５１側の上部に設けた切り欠き５１ａ（Ａ部）、または下部に設けた穴５１ｂ（Ｂ部）、あるいは側部に設けた穴５１ｃ（Ｃ部）を示し、図２１はこれに係合する吊り金具５２側のラチエット式の突起５２ｃ、あるいは凸部５２ｄを示すもので、それぞれ選択により組合せて使用することにより吊り金具５２は吊持具本体５１の所望位置にスライドさせることによりセットすることができる。図２０の（ａ）は突起を５２ｃを設けた場合の平面図、同（ｂ）は（ａ）の側面図、同（ｃ）は凸部５２ｄを設けた場合の平面図、同（ｄ）は（ｃ）の側面図を示す。
【００４１】
【発明の効果】
以上説明したように本発明は第２、第３および第４の発明を含めて、従来用いられてきた軸長の大きなナットを使用する必要がなく、固定側のリブの下方からロッドを持ってリブに当てがい、そのままロッドを回転させることにより吊持具をリブに固着することができるので、踏台や足場等を使用する必要がなくなり、安全かつ高能率に吊持具の取付け作業を行うことができる。またナット部材は吊持具本体に直接または間接的に固着されているので、部品の分離がなく、一体のものとして取扱うことができ、取扱いやすく、部品の紛失もない。さらに吊持具本体にナットが固着されている構成であるためボルト等の突出物がなく、コンパクトであり、かつ部品価格が低廉となって低コストで得られ、安価に提供することができる等、従来のものに較べ種々優れた効果が得られる。
【図面の簡単な説明】
【図１】本発明にかかる吊持具の一実施例を示す正面図。
【図２】図１の吊持具の吊持具本体の平面図。
【図３】図１の吊持具のリブへの取付け過程を示す説明図。
【図４】図１の吊持具のリブへの取付け過程を示す説明図。
【図５】図１の吊持具のリブへの取付け過程を示す説明図。
【図６】図１の吊持具のリブへの取付け過程を示す説明図。
【図７】図１の吊持具の取付け完了状態を示す説明図。
【図８】図１の吊持具の変形例をの正面図。
【図９】同、他の変形例の正面図。
【図１０】同、さらに他の変形例の正面図。
【図１１】同、さらに他の変形例の正面図。
【図１２】同、さらに他の変形例の正面図。
【図１３】第２の発明にかかる吊持具の一実施例の正面図。
【図１４】第２の発明にかかる吊持具の他の実施例の正面図。
【図１５】同、変形例の正面図。
【図１６】同、他の変形例の正面図。
【図１７】第３の発明にかかる吊持具の一実施例の正面図。
【図１８】同、他の変形例の正面図。
【図１９】第４の発明にかかる吊持具の一実施例の正面図。
【図２０】図１９の吊持具本体のスライド部材との選択係合位置を示し、（ａ）は平面図、（ｂ）は正面図、（ｃ）は側面図。
【図２１】図２０の吊持具本体に内装入される吊り金具のラチェットの例を示し、（ａ）は突起を設けた場合の平面図、（ｂ）は（ａ）の側面図、（ｃ）は凸部を設けた場合の平面図、（ｄ）は（ｃ）の側面図。
【図２２】従来の吊持具を示す正面図。
【符号の説明】
１  デッキプレート
２，２′，２″  リブ
６  ロッド
７  ナット部材
９  デッキプレート
１０  リブ
１１  吊持具本体
１１ａ  水平部
１１ｂ  垂直部
１２  ピン
１３，１４  挟持片
１３ａ，１４ａ  水平部分
１３ｂ，１４ｂ  垂直部分
１８  バネ押さえ
１９  バネ
２１  吊持具本体
２１ａ  切り欠き
２１ｂ  穴
２３，２４  挟持片
２３ａ，２４ａ  折曲げ部
３３，３４  挟持片
３９  リブ
４１  吊持具本体
４２  挟持片
４２ａ  水平部分
４２ｂ  垂直部分
４３  ピン
５１  吊持具本体
５２  吊り金具
５３  挟持片
５３ａ  水平部分
５３ｂ  垂直部分
５４  ピン
【図１】
0003578813.tif 000002
【図２】
0003578813.tif 000003
【図３】
0003578813.tif 000004
【図４】
0003578813.tif 000005
【図５】
0003578813.tif 000006
【図６】
0003578813.tif 000007
【図７】
0003578813.tif 000008
【図８】
0003578813.tif 000009
【図９】
0003578813.tif 000010
【図１０】
0003578813.tif 000011
【図１１】
0003578813.tif 000012
【図１２】
0003578813.tif 000013
【図１３】
0003578813.tif 000014
【図１４】
0003578813.tif 000015
【図１５】
0003578813.tif 000016
【図１６】
0003578813.tif 000017
【図１７】
0003578813.tif 000018
【図１８】
0003578813.tif 000019
【図１９】
0003578813.tif 000020
【図２０】
0003578813.tif 000021
【図２１】
0003578813.tif 000022
【図２２】
0003578813.tif 000023